(57)【特許請求の範囲】
【請求項１】
筆記具のインナーキャップ部が、外壁を形成するインナーキャップ外管と、内壁を形成するインナーキャップ内管とを備え、前記インナーキャップ内管は、その先端が仕切板により閉じられてペン先を収容するペン先室が形成され、前記外壁と内壁との基部においては一体であり、該基部から先端方向にインナーキャップ外管とインナーキャップ内管との間に断熱のための空気層を構成した２層管構造をなすインナーキャップにおいて、
前記インナーキャップの外壁外面は、少なくともその先端近傍でキャップ本体内面と嵌合しており、
前記インナーキャップに筆記具の軸部を装着した状態で、前記基部は、該軸部のペン先を保持する先端部の側方に位置し、前記空気層は、該軸部のペン先を保持する先端部の側方からインナーキャップの先端に渡り構成されることを特徴とする耐結露性に優れたインナーキャップ。
【請求項２】
筆記具のインナーキャップ部が、外壁を形成するインナーキャップ外管と、内壁を形成するインナーキャップ内管とを備え、前記インナーキャップ内管は、その先端が仕切板により閉じられてペン先を収容するペン先室が形成され、前記外壁と内壁との基部においては一体であり、該基部から先端方向にインナーキャップ外管とインナーキャップ内管との間に断熱のための空気層を構成した２層管構造をなし、且つ、前記インナーキャップ部が透明性を有する樹脂で形成されるとともに、さらに該外壁部側面が該キャップ本体側面に設けられた開口部から一部露出して透明窓として作用するインナーキャップにおいて、
前記インナーキャップの外壁外面は、少なくともその先端近傍でキャップ本体内面と嵌合しており、
前記インナーキャップに筆記具の軸部を装着した状態で、前記基部は、該軸部のペン先を保持する先端部の側方に位置し、前記空気層は、該軸部のペン先を保持する先端部の側方からインナーキャップの先端に渡り構成されることを特徴とする耐結露性に優れたインナーキャップ。
【発明の詳細な説明】
【０００１】
【産業上の利用分野】
本発明は耐結露性に優れたインナーキャップに係り、さらに詳しくは、主として水性筆記具類のキャップ部内部に装着される耐結露性に優れたインナーキャップの改良に関するものである。
【０００２】
【従来の技術】
近年においては、各種筆記具の種類、用途とも多様化しており、各メーカにおいても夫々特色のある製品を提供することによって、ユーザにアピールするための開発、改善努力が常になされているのが現状である。
そのような手段としては、筆記具自体の機能はもとより、形状、色彩などのデザイン面からネーミング、さらには広報手段等に至るまで各種の検討が行なわれるものである。
【０００３】
このような筆記具の一つとして水性のいわゆるサインペンがあるが、かかる筆記具においては、冬期と夏期あるいは梅雨期、寒冷地と温暖地、さらには近年広く普及した一般家庭を含む冷暖房、などの影響により、筆記具の外周雰囲気の温度、湿度と筆記具のキャップ内における雰囲気との間に生じる差に伴なって、キャップ内に結露が発生する場合がある。
【０００４】
以下図面に基いて説明する。図４は従来の筆記具に使用されるキャップの一例を示す断面図であって、（ａ）は上半部ならびに下半部の一部の正面断面図（ｂ）は（ａ）の９０°回転側面の断面図である。
これらの図において、１０１はキャップ本体であって、クリップ１０２が埋め込みなどの任意の手段で装着されている。１０３はキャップ１０１の内部に設けられたインナーキャップであって、このインナーキャップ１０３は、図示しないペン先部を保護、収容するためのペン先室１０４を備えている。さらにインナーキャップ１０３は、その先端部が仕切板１０７により閉じられる一方、基部近傍の外面とキャップ１０１の内面とに夫々設けられた段部により嵌合する係止部１０６が設けられている。
【０００５】
さらに、キャップ１０１の開口部近傍には複数の突起１０８が設けられており、図示しない筆記具ペン先部をキャップ１０１に挿入した際、筆記具軸部側面がこれら突起１０８を押圧することにより、該軸部が突起１０８によって把持され、これによってキャップ１０１が固定し、脱落が防がれるものである。なお、図４の態様においては、キャップ１０１に長円形の窓１０９が開口しており、インナーキャップ１０３を透明樹脂で形成させることによって、内部のペン先をキャップ１０１の閉じた状態で見ることが可能となる。また、１０５は天冠であり、１１０は装飾用の飾り連子である。
【０００６】
【発明が解決しようとする課題】
従来のインナーキャップ付き筆記具は以上のように構成されているため、図４のインナーキャップ１０３のペン先部を収容するペン先室１０４内の雰囲気中に含まれる湿分が、筆記具自体のおかれた外気の環境特に温度変化に伴なって、インナーキャップ１０３内壁に結露を発生する場合がある。そのような場合、水性の筆記具の場合には特に結露による水分の影響からインナーキャップ１０３内に汚れが発生することがあり、これが筆記具先端近傍を汚染することにより、ユーザが使用する際に手が汚れるなどの不都合が生じる。
【０００７】
さらに、図４に例示したような窓１０９を有する態様においては、結露が生じると、透明なインナーキャップ１０３の内壁に曇りが生じてペン先室１０４内を透視することが困難となる。
そのため、従来のこの種の筆記具においては、結露の防止対策として、たとえばペン先室１０４の容積を極力小さく保つことによって内部に封じ込まれる空気すなわち湿気の量を可能な限り低く抑えるか、或いはインナーキャップ１０３の肉厚を厚くすることによって、外気からの断熱効果を期待する、というような手段が用いられてきた。
【０００８】
しかしながら、前記のペン先室１０４の容積を小さく保つように構成するには、ペン先とインナーキャップ１０３とのクリアランス精度を特に留意するなどの製造時の配慮が必要となり、製造工程上煩雑になる恐れがある。一方、インナーキャップ１０３の肉厚を厚くする手段については、そのための樹脂の使用量が増加する割りには、それほど大きな断熱効果を発揮せしめることはできない。
従って本発明の目的とするところは、インナーキャップを用いる筆記具について、簡単な改良により、優れた耐結露性を有するインナーキャップを提供することにある。
【０００９】
【課題を解決するための手段】
本発明は標記課題を解決するためなされたものであって、その要旨の第１は、筆記具のインナーキャップ部が、外壁を形成するインナーキャップ外管と内壁を形成するインナーキャップ内管とを備え、前記外壁と内壁との基部においては一体であり、該基部から先端方向には２層管構造をなし、該２層管構造を形成するインナーキャップ外壁と内壁との間が断熱のための空気層を構成するとともに、前記外壁部外面は少なくともその先端近傍でキャップ本体内面と嵌合しており、一方、インナーキャップ内管はその先端が仕切板により閉じられてペン先を収容するペン先室が形成された耐結露性に優れたインナーキャップにある。
【００１０】
また、その要旨の第２は、筆記具のインナーキャップ部が、外壁を形成するインナーキャップ外管と内壁を形成するインナーキャップ内管とを備え、前記外壁と内壁との基部においては一体であり、該基部から先端方向には２層管構造をなし、該２層管構造を形成するインナーキャップの外壁と内壁との間が断熱のための空気層を構成するとともに、前記外壁部外面は少なくともその先端近傍でキャップ本体内面と嵌合しており、一方、インナーキャップ内管はその先端が仕切板により閉じられてペン先を収容するペン先室が形成されたインナーキャップであって、前記インナーキャップが透明性を有する樹脂で形成されるとともに、さらに該外壁部側面が該キャップ本体側面に設けられた開口部から一部露出して透明窓として作用する耐結露性に優れたインナーキャップにある。
【００１１】
【作用】
本発明はおいては、筆記具のインナーキャップ部が外壁と内壁とからなる２層管構造に形成され、外壁と内壁との間に断熱効果を有する空気層が設けられているので、従来の肉厚のインナーキャップに較べて断熱効果が高いものであるから耐結露性の面でも優れており、また外壁と内壁の樹脂層の肉厚を薄くすることも可能となる。
さらに、開口部から一部露出した透明窓としてインナーキャップが構成されている場合には、耐結露性が向上することによって、内部の曇りが発生せず、ペン先の監視が容易となる。また、いずれの場合も、ペン先室内部の気密性向上に伴ない、インクの揮発抑制効果が期待されるとともに、耐結露性の向上により、筆記具先端近傍の汚れを防止することが可能となり、商品イメージの向上に貢献する。
【００１２】
【実施例】
以下、本発明の実施例について、図面を参照しながら説明する。
図１は本発明の対象となる筆記具に使用されるキャップの一実施例を示す断面図であって、（ａ）はその正面断面図、（ｂ）は（ａ）におけるＡ部の詳細を示した拡大断面図である。
これらの図において、１はキャップ本体であって、クリップ２が埋め込みなどの任意の手段で装着されている。ここで本発明の重要な骨子の一つとするところは、キャップ１の内部に設けられたインナーキャップ部が外壁３ａと内壁３ｂとからなる２層管構造をなしており、これら外壁３ａと内壁３ｂとの中間には空気層１１が断熱層を形成している点にある。
【００１３】
さらに図１（ａ）、（ｂ）に見られるように、前記インナーキャップ部外壁３ａと内壁３ｂとの基部１２では一体化している一方、インナーキャップ内壁３ｂを形成するインナーキャップ内管はその先端が仕切板７により閉じられることによって、後述するように筆記具のペン先部を保護、収容するペン先室４が形成されているものである。
また、インナーキャップ外壁３ａを形成するインナーキャップ外管は、図１（ｂ）のＡ部拡大図に見られるように、少なくともその先端近傍で、その外面と、キャップ本体１の内面とに夫々設けられた段部により嵌合する係止部１３が設けられている。一方、インナーキャップ外管基部近傍にも、従来の態様と同様、その外面とキャップ本体１の内面とに夫々設けられた段部により嵌合する係止部６が設けられている。
【００１４】
なお、図１におけるその他の構成としては、先に述べた従来の態様の筆記具と同様であって、５は天冠であり、またキャップ本体１の開口部近傍には複数の突起８が設けられており、後述する筆記具ペン先部をキャップ本体１に挿入した際、筆記具軸部側面がこれら突起８を押圧することにより、該軸部が突起８によって把持され、これによってキャップ本体１が固定し、脱落が防止されるものである。
【００１５】
次に、図１に示した本発明の実施例の動作について、図面を参照しながら説明する。
本発明の重要な骨子は前述の通り、インナーキャップが内壁３ｂと外壁３ａを隔てて断熱のための空気層１１を有する構成とした点にある。この場合、本発明においては、内壁３ｂを構成する内管部の先端が仕切板７により仕切られている一方、インナーキャップ外壁３ａとキャップ本体１との間は少なくともインナーキャップ外壁３ａの先端近傍の係止部１３で嵌合するよう構成されているので、キャップ本体１内に後述するペン先を挿入固定したのちは、ペン先室４内は外気と遮断されて気密状態となり、他方、空気層１１は従来の肉厚の樹脂インナーキャップを使用する場合と比較して断熱効果が優れているため、耐結露性を格段に向上させることが可能となる。さらに、内壁３ｂと外壁３ａの材料としては、薄肉の材料を使用することが可能となる。
【００１６】
次に、本発明の他の実施例について、図２を参照しながら説明する。
図２は本発明の対象となる筆記具に使用されるキャップの他の実施例を示す断面図であって、（ａ）は上半部ならびに下半部の一部の正面断面図、（ｂ）は（ａ）の９０°回転側面の断面図である。
これらの図において、図１に示した実施例と同じ構成部分には同じ符号が付されており、詳細な説明は省略する。
すなわち、図２（ａ）、（ｂ）において、１はキャップ本体、２はクリップ、３ａはインナーキャップ外壁、３ｂは同内壁、４はペン先室、５は天冠、６および１３は係止部、７は仕切板、８は突起、１１は空気層、１２は基部を夫々示すもので、これらの構成ならびに動作については図１の場合と基本的には同様である。なお、１０は従来の態様のものにも示される装飾用の飾り連子である。
【００１７】
ところで、図２の実施例においては、インナーキャップ部外壁３ａならびに内壁３ｂの材質を透明性を有する樹脂として、これによりインナーキャップ部が形成される一方、キャップ本体１の側面には長円形の窓９が開口しており、インナーキャップ部外壁３ａならびに内壁３ｂが透明であることにより、該開口部から一部露出して透明窓として作用し、ペン先室４内部を透視することが可能となり、従って後述するペン先部がキャップ本体１に挿入された場合、ペン先部を確認することが可能となる。しかも、本発明においては、耐結露性が向上しているため、ペン先室４の内面が曇ることが防止できるようになり、これによって、窓９を設けたことに伴なうペン先部の透視効果が充分に発揮されることになる。
【００１８】
最後に本発明の実施例に係るインナーキャップを使用した筆記具の例について図面に基いて説明する。
図３は上記の態様例を示す部分正面断面図で、（ａ）は図１の実施例のインナーキャップを用いた例、（ｂ）は図２の実施例のインナーキャップを用いた例を夫々示すものである。図３（ａ）、（ｂ）とも、キャップの装着された筆記具を示すものであって、１５は筆記具の軸部、１４はペン先部、１６は尾栓を夫々示すものである。その他の構成部分については、先に図１ならびに図２について詳述されているので、説明は省略するが、いずれの態様においても、ペン先室４内部の気密性向上に伴なって、ペン先１４からの水性インクの揮発抑制効果も向上する。また前記の通り、空気層１１が設けられることに伴なって、内壁３ｂ、外壁３ａも薄肉の材料を使用することが可能になる。
なお、図３（ｂ）においては、窓部９を介してペン先部１４が透視可能であることが示されている。
【００１９】
【発明の効果】
以上の実施例からも明らかな通り、本発明によれば、簡単な改良により、ペン先室内の気密性を向上するとともにインナーキャップの２層管構造間に設けられた空気層による断熱効果によって、外気の温度変化に伴なうペン先室内の結露を防止し、あわせてインクの揮発抑制を可能とし、さらには筆記具軸部先端近傍の汚れも防止することを可能とするものであり、さらにキャップ本体に窓を有する場合には、窓内面に曇りを生じることなくペン先室内部のペン先を透視することも可能となるものであり、本発明に係るインナーキャップのもたらす効果は測り知れないものがある。
【図面の簡単な説明】
【図１】本発明の対象となる筆記具に使用されるキャップの一実施例を示す（ａ）は正面断面図、（ｂ）は（ａ）のＡ部の詳細を示した拡大断面図である。
【図２】本発明の対象となる筆記具に使用されるキャップの他の実施例を示す（ａ）は上半部ならびに下半部の一部の正面断面図、（ｂ）は（ａ）の９０°回転側面の断面図である。
【図３】本発明の態様例に係るインナーキャップを使用した筆記具を示す（ａ）は図１の実施例を用いた場合の部分正面断面図、（ｂ）は図２の実施例を用いた場合の部分正面断面図である。
【図４】従来の筆記具に使用されるキャップの一例を示す（ａ）は上半部ならびに下半部の一部の正面断面図、（ｂ）は（ａ）の９０°回転側面の断面図である。
【符号の説明】
１，１０１  キャップ（キャップ本体）
２，１０２  クリップ
３ａ  インナーキャップ外壁
３ｂ  インナーキャップ内壁
４，１０４  ペン先室
５，１０５  天冠
６，１３，１０６  係止部
７，１０７  仕切板
８，１０８  突起
９，１０９  窓部
１０，１１０  飾り連子
１１  空気層
１２  基部
１４  ペン先
１５  軸部
１６  尾栓
１０３  インナーキャップ
【図１】
0003753441.tif 000002
【図２】
0003753441.tif 000003
【図３】
0003753441.tif 000004
【図４】
0003753441.tif 000005